(57)【要約】【課題】２つの筐体を折り畳んだ状態でも入力操作具が対向する筐体の表面を傷つけにくく機構も小型化できる折り畳み型情報処理装置およびその入力操作具処理方法を得ること。【解決手段】第１の筐体１１は、その一方の面をディスプレイ面としている。第２の筐体１２は、入力操作具を進退自在に移動させる入力操作具移動手段１２ａと、入力操作具が第２の箱状部材の内部に後退した時点でその出力を遮断する遮断手段１２ｂを備えている。ヒンジ機構１３は、第１の筐体１１と第２の筐体１２を連結し、開閉させる。【選択図】図１
2011055049.tif 000002
【特許請求の範囲】
【請求項１】
第１の箱状部材の一方の面を、視覚的な表示を行うディスプレイ面とした第１の筐体と、
第２の箱状部材の一方の面に対してデータの入力操作を行う入力操作具を進退自在に移動させる入力操作具移動手段と、この入力操作具移動手段により前記入力操作具が前記第２の箱状部材の内部に後退した時点でこの入力操作具の信号の出力を遮断する遮断手段を備えた第２の筐体と、
前記第１の筐体と第２の筐体を連結し、前記ディスプレイ面と入力操作具が対向配置される閉じた状態と、これらが所定の角度をなす開いた状態との間で回動自在とするヒンジ機構
とを具備することを特徴とする折り畳み型情報処理装置。
【請求項２】
前記ディスプレイ面と入力操作具が対向配置される閉じた状態となるとき、前記入力操作具移動手段が前記入力操作具を所定距離だけ後退させることを特徴とする請求項１記載の折り畳み型情報処理装置。
【請求項３】
前記入力操作具を前記第２の箱状部材の前記ディスプレイ面と対向する側の面とその反対側の面との間を移動自在に弾性的に支持する支持手段と、前記ヒンジ機構を構成する円筒状部品に一端を固定しその回転量に応じて巻き付きの量を変えるワイヤと、このワイヤの他端の移動量を前記支持手段による前記入力操作具の移動方向に変換する移動方向変換手段と、この移動方向変換手段により変換された前記ワイヤの他端を前記入力操作具に固定するワイヤ固定手段
とを具備することを特徴とする請求項２記載の折り畳み型情報処理装置。
【請求項４】
前記支持手段は、バネ材であり、前記移動方向変換手段はプーリであることを特徴とする請求項３記載の折り畳み型情報処理装置。
【請求項５】
前記入力操作具を前記第２の箱状部材の前記ディスプレイ面と対向する側の面とその反対側の面との間を移動自在に弾性的に支持する支持手段と、この支持手段によって弾性的に支持された前記入力操作具を前記所定距離だけ後退させる方向に吸引する磁気的吸引手段とを具備することを特徴とする請求項２記載の折り畳み型情報処理装置。
【請求項６】
前記入力操作具は、複数のキートップを１枚のシート状部材に形成したキートップ形成部材であることを特徴とする請求項１〜請求項３、請求項５いずれかに記載の折り畳み型情報処理装置。
【請求項７】
ヒンジ機構によって開閉自在とされた第１および第２の筐体が閉じるときこれを検出する閉状態検出ステップと、
この閉状態検出ステップで前記第１および第２の筐体が閉じることが検出されたとき、前記第２の筐体の第１の筐体と対向する面から突出した入力操作具をこの面から突出しないように前記第２の筐体内部に後退させる後退ステップと、
この後退ステップで前記入力操作具が後退すると共にこの入力操作具の出力を遮断する出力遮断ステップ
とを具備することを特徴とする折り畳み型情報処理装置の入力操作具処理方法。
【発明の詳細な説明】
【技術分野】
【０００１】
本発明は、折り畳み型の携帯電話機、ノート型のパーソナルコンピュータ等の折り畳み型情報処理装置および折り畳み型情報処理装置の入力操作具処理方法に関する。本発明は、特に折り畳み時に表示部とデータの入力部が対向して配置される場合のように対向する面の一方が傷つきやすい場合に好適な折り畳み型情報処理装置および折り畳み型情報処理装置の入力操作具処理方法に関する。
【背景技術】
【０００２】
携帯電話機やＰＨＳ（Personal Handyphone System）、ＰＤＡ（Personal Digital Assistant）あるいはパーソナルコンピュータのような各種の情報処理装置は、一般に情報を視覚的に表示するディスプレイと、各種入力操作を行うための入力部を備えている。比較的小型で、携帯や収納に便利な情報処理装置は、ディスプレイを液晶や有機ＥＬ（Organic Electro-Luminescence）を用いた平板状のもので構成している。そこで、キーボード等の入力部を使用しないときには、ディスプレイを折り畳んで入力部と重ね合わせ、入力部を保護するための蓋としての役割を持たせることが多い。これにより、情報の入力時にはディスプレイと入力部の双方の配置スペースを広く確保できると共に、移動時や使用していないときには装置を折り畳んでコンパクトな形状にできるという利点が生じる。
【０００３】
ところが、このような折り畳み型情報処理装置は、折り畳んだときにディスプレイの表面とキーボード等の入力操作具が、わずかの距離を置いて対向する。このため、装置に加わる外力や振動によって、入力操作具を構成するキーボード等の部品がディスプレイの表面に接触する可能性が高くなる。この結果、ディスプレイ表面と部品の接触の繰り返しが生じる場合があり、このような場合には、ディスプレイ表面に傷が付いてしまい、文字や画像の表示に障害が発生する。
【０００４】
図１１は、ディスプレイ表面に傷が付いた折り畳み型情報処理装置の一例を表わしたものである。ここでは、折り畳み型情報処理装置として折り畳み型携帯電話機を示している。折り畳み型情報処理装置１００は、ディスプレイ面１０１を備えた第１の筐体１０２と、キーの上面としてのキートップ１０３が突出した第２の筐体１０５を、ヒンジ機構１０６で連結した構造を有している。ディスプレイ面１０１には、折り畳み時にキートップ１０３が接触した位置に対応して傷１０８が生じている。傷１０８の位置では、ディスプレイ面１０１に外部から照射した光が乱反射する。したがって、これらの傷１０８の部分が白っぽく見えることになり、文字や画像が白抜けして、判読に障害が生じる。
【０００５】
このような障害の発生を防止するため、ディスプレイの表面に保護シートを貼り付けて表面を保護することが行われている。また、これに代わって、ノート型のパーソナルコンピュータ等の折り畳み型情報処理装置を折り畳んで携行する際にディスプレイとキーボードの間に保護のための布を挟み込むことも行われている。このうち、前者の保護シートを貼り付ける手法を採用した場合には、保護シートがディスプレイ表面に代わって傷つくことになる。したがって、表示上の障害が目立つ前に保護シートを交換する必要が生じ、交換の手間とコストが問題となる。また、後者の折り畳む箇所に保護のための布を挟み込む手法を採用した場合には、折り畳み型情報処理装置の開閉のたびに布の撤去や挟み込みを繰り返す必要があり、面倒であるという問題がある。
【０００６】
そこで、本発明に関連する関連技術として、鋸の刃の形状をした部材を用いて、これらをスライドさせることでキーボードを使用しないときにディスプレイとの間隔を空けることが提案されている（たとえば特許文献１参照）。
【０００７】
図１２は、この関連技術で折り畳み型情報処理装置のケースが開いた状態（使用状態）における内部構造の要部を表わしたものである。図１２で、図１１と同一部分には同一の符号を付しており、これらの説明を適宜省略する。折り畳み型情報処理装置１００の第２の筐体１０５には、キートップ１０３が突出したキーボード側ケース上面１０４が配置されている。それぞれのキートップ１０３は、第２の筐体１０５の内部に配置された支持台１１１の上に固定された鋸歯状をした被昇降部材１１２の斜面の上半分に移動した状態の昇降部材１１３上にそれぞれ載置されている。
【０００８】
図１３は、この折り畳み型情報処理装置を折り畳んだ状態を示している。折り畳み型情報処理装置１００を図１２に示した状態から第１の筐体１０２と第２の筐体１０５が重なった状態まで折り畳む。すると、図示しない機構によって支持台１１１が、図１２に示した位置より、矢印１２１方向に移動する。この移動量は、被昇降部材１１２における１つの三角形の底辺の半分の長さである。被昇降部材１１２およびその上に配置されたそれぞれのキートップ１０３は、支持台１１１の面に垂直方向のみ移動自在となっている。また、昇降部材１１３は、図示しない機構によって、被昇降部材１１２の斜面に常に押し付けられる力が働いている。
【０００９】
このため、支持台１１１が矢印１２１方向に移動すると、昇降部材１１３は被昇降部材１１２の斜面を下降してこの斜面の下半分の位置まで移動する。これと共に、それぞれのキートップ１０３は被昇降部材１１２における１つの三角形の高さの半分に相当する長さだけ下方に移動して、その上面がキーボード側ケース上面１０４よりも下側（内部側）に移動する。この結果、折り畳み型情報処理装置１００が折り畳まれて、ディスプレイ面１０１とキーボード側ケース上面１０４が平行な面となったとき、キートップ１０３の上面はディスプレイ面１０１から遠ざかる。このため、折り畳み型情報処理装置１００に外力が加わったり振動が発生しても、ディスプレイ面１０１にキートップ１０３が接触するという事態が発生しなくなる。
【００１０】
なお、説明の便宜上、昇降部材１１３の底辺を被昇降部材１１２の底辺の２分の１として説明したが、原理的には昇降部材１１３の底辺を被昇降部材１１２の底辺と等しい長さとすることができ、これにより、移動量を増加することができる。また、支持台１１１および被昇降部材１１２の位置を固定して、キートップ１０３および昇降部材１１３を被昇降部材１１２の斜面に沿って移動させることも同様に可能である。
【先行技術文献】
【特許文献】
【００１１】
【特許文献１】特開２００６−２３７６９４号公報（第００１９段落、図２、図３）
【発明の概要】
【発明が解決しようとする課題】
【００１２】
この関連技術によれば、それぞれのキートップ１０３が、支持台１１１、被昇降部材１１２および昇降部材１１３の上に配置された３次元構造となっている。このため、キートップ１０３の昇降を確保するための機構が大型化してしまい、折り畳み型情報処理装置１００全体の小型化実現に大きな障害となるという問題があった。
【００１３】
以上、携帯電話機を前提として折り畳み型情報処理装置１００の有する問題を説明したが、比較的大型の情報処理装置であっても、ディスプレイと、キーボード等の入力操作具が対向して配置される装置では、同様の問題がある。また、折り畳み型情報処理装置１００が折り畳まれた状態では、入力操作具が他の部品と接触すると、誤入力のおそれもある。
【００１４】
そこで本発明の目的は、２つの筐体を折り畳んだ状態でも入力操作具が対向する筐体の表面を傷つけにくく機構も小型化できる折り畳み型情報処理装置および折り畳み型情報処理装置の入力操作具処理方法を提供することにある。
【００１５】
本発明の他の目的は、２つの筐体を折り畳んだ状態でも入力操作具が誤入力を行うおそれのない折り畳み型情報処理装置および折り畳み型情報処理装置の入力操作具処理方法を提供することにある。
【課題を解決するための手段】
【００１６】
本発明では、（イ）第１の箱状部材の一方の面を、視覚的な表示を行うディスプレイ面とした第１の筐体と、（ロ）第２の箱状部材の一方の面に対してデータの入力操作を行う入力操作具を進退自在に移動させる入力操作具移動手段と、この入力操作具移動手段により前記した入力操作具が前記した第２の箱状部材の内部に後退した時点でこの入力操作具の信号の出力を遮断する遮断手段を備えた第２の筐体と、（ハ）前記した第１の筐体と第２の筐体を連結し、前記したディスプレイ面と入力操作具が対向配置される閉じた状態と、これらが所定の角度をなす開いた状態との間で回動自在とするヒンジ機構とを折り畳み型情報処理装置が具備する。
【００１７】
また、本発明では、（イ）ヒンジ機構によって開閉自在とされた第１および第２の筐体が閉じるときこれを検出する閉状態検出ステップと、（ロ）この閉状態検出ステップで前記した第１および第２の筐体が閉じることが検出されたとき、前記した第２の筐体の第１の筐体と対向する面から突出した入力操作具をこの面から突出しないように前記した第２の筐体内部に後退させる後退ステップと、（ハ）この後退ステップで前記した入力操作具が後退すると共にこの入力操作具の出力を遮断する出力遮断ステップとを折り畳み型情報処理装置の入力操作具処理方法が具備する。
【発明の効果】
【００１８】
以上説明したように本発明によれば、入力操作具が第２の箱状部材の内部に後退した時点でこの入力操作具の信号の出力を遮断するようにした。これにより、入力操作具の位置的な後退がキーの押下等の所定の操作と紛らわしい動作となる場合であっても、入力操作具による信号の誤入力のおそれがないという利点がある。また、このような信号の誤入力のおそれがない環境とすることで、入力操作具の移動制御や第２の筐体内での部品配置の精度を高度に要求する必要がなくなり、装置の製造に要するコストを削減することができる。
【図面の簡単な説明】
【００１９】
【図１】本発明の折り畳み型情報処理装置のクレーム対応図である。
【図２】本発明の折り畳み型情報処理装置の入力操作具処理方法のクレーム対応図である。
【図３】本発明の実施の形態による折り畳み型情報処理装置のケースが開いた状態での断面構造の要部説明図である。
【図４】本実施の形態における折り畳み型情報処理装置のケースが閉じた状態での断面構造の要部説明図である。
【図５】本発明の第１の実施例における折り畳み型情報処理装置が開いた状態での断面構造の要部説明図である。
【図６】第１の実施例で第１の筐体が第２の筐体の上に折り畳まれたときの折り畳み型情報処理装置の断面構造の要部説明図である。
【図７】第１の実施例で折り畳み型情報処理装置のボタン部に関係した回路構成の要部を表わしたブロック図である。
【図８】本発明の第２の実施例における折り畳み型情報処理装置が開いた状態での断面構造の要部説明図である。
【図９】第２の実施例における折り畳み型情報処理装置のボタン部および電磁石に関係した回路構成の要部を表わしたブロック図である。
【図１０】第２の実施例で電磁石が磁性体を吸着した段階での折り畳み型情報処理装置の断面構造の要部説明図である。
【図１１】従来の折り畳み型情報処理装置のディスプレイ表面に傷が生じた状態を示した斜視図である。
【図１２】本発明の関連技術における折り畳み型情報処理装置の開いた状態の内部構造の要部を表わした説明図である。
【図１３】この関連技術における折り畳み型情報処理装置を折り畳んだ状態の内部構造の要部を表わした説明図である。
【発明を実施するための形態】
【００２０】
図１は、本発明の折り畳み型情報処理装置のクレーム対応図を示したものである。本発明の折り畳み型情報処理装置１０は、第１の筐体１１と、第２の筐体１２と、ヒンジ機構１３を備えている。ここで、第１の筐体１１は、第１の箱状部材の一方の面を、視覚的な表示を行うディスプレイ面としている。第２の筐体１２は、入力操作具移動手段１２ａと、遮断手段１２ｂを備えている。入力操作具移動手段１２ａは、第２の箱状部材の一方の面に対してデータの入力操作を行う入力操作具を進退自在に移動させる。遮断手段１２ｂは、入力操作具移動手段１２ａにより前記した入力操作具が前記した第２の箱状部材の内部に後退した時点でこの入力操作具の信号の出力を遮断する。ヒンジ機構１３は、第１の筐体１１と第２の筐体１２を連結し、前記したディスプレイ面と入力操作具が対向配置される閉じた状態と、これらが所定の角度をなす開いた状態との間で回動自在となっている。
【００２１】
図２は、本発明の折り畳み型情報処理装置の入力操作具処理方法のクレーム対応図を示したものである。本発明の折り畳み型情報処理装置の入力操作具処理方法２０は、閉状態検出ステップ２１と、後退ステップ２２と、出力遮断ステップ２３を備えている。ここで、閉状態検出ステップ２１では、ヒンジ機構によって開閉自在とされた第１および第２の筐体が閉じるときこれを検出する。後退ステップ２２では、閉状態検出ステップ２１で前記した第１および第２の筐体が閉じることが検出されたとき、前記した第２の筐体の第１の筐体と対向する面から突出した入力操作具をこの面から突出しないように前記した第２の筐体内部に後退させる。出力遮断ステップ２３では、後退ステップ２２で前記した入力操作具が後退すると共にこの入力操作具の出力を遮断する。
【００２２】
＜発明の実施の形態＞
【００２３】
次に本発明の第１の実施の形態を説明する。
【００２４】
図３は、本発明の実施の形態による折り畳み型情報処理装置のケースが開いた状態での断面構造の要部を表わしたものである。なお、本実施の形態の折り畳み型情報処理装置は具体例として携帯電話機を示しているが、その外観は図１１に示すものと同一である。そこで、その外観の図示は省略する。
【００２５】
折り畳み型情報処理装置２００は、ディスプレイ面２０１を備えた第１の筐体２０２と、キートップ２０３がケース上面２０４からわずかに突出した第２の筐体２０５を、ヒンジ機構２０６で連結した構造を有している。それぞれのキートップ２０３は、樹脂からなる１枚のキートップ形成部材２１１から構成されており、キーの配置に対応させて凸形状に形成したものである。凸形状のキートップ２０３の内部空間には、キーの押下を物理的な接触あるいは光学的な光量変化によって検知するボタン部２１２が１つずつ配置されている。
【００２６】
ボタン部２１２の検知信号は、それぞれのキートップ２０３に対応した形で図示しないキースイッチ押下識別回路に送出されるようになっている。これにより、折り畳み型情報処理装置２００のユーザが、いずれかのキートップ２０３を押し下げると、これに対応するボタン部２１２が検知信号を出力して、キースイッチ押下識別回路がどのキーが押されたかを識別することができる。
【００２７】
図４は、折り畳み型情報処理装置のケースが閉じた状態での断面構造の要部を表わしたものである。折り畳み型情報処理装置２００の第１の筐体２０２が第２の筐体２０５の上に重なるように折り畳まれると、ディスプレイ面２０１とケース上面２０４が、接触するか、わずかの距離を置いて対向する。このとき、本実施の形態のキートップ形成部材２１１は、図示しない機構によって、このときのディスプレイ面２０１と直交する方向としての矢印方向２１４に所定距離だけ移動する。これにより、折り畳み型情報処理装置２００に外力が作用したりキートップ２０３が振動しても、これによってキートップ２０３がディスプレイ面２０１と接触する事態を回避することができる。
【００２８】
ただし、この状態ではボタン部２１２がキートップ２０３の近くまで下降していたり、キートップ２０３と接触する可能性が大きくなる。したがって、ボタン部２１２が検知信号を出力する可能性が生じる。しかしながら、本実施の形態ではそれぞれのボタン部２１２の検知出力を、それぞれスイッチ回路２１５を経てキースイッチ押下識別回路２１６に供給するようにしている。したがって、スイッチ回路２１５のそれぞれが折り畳み型情報処理装置２００の折り畳み時にオフとなるようになっていれば、キースイッチ押下識別回路２１６がキートップ２０３の押下情報を出力することはない。これにより、キートップ２０３によるディスプレイ面２０１の傷つきを低減できると共に、キースイッチ押下識別回路２１６の誤検知を防止することができる。
【実施例１】
【００２９】
図５は、本発明の第１の実施例における折り畳み型情報処理装置が開いた状態での断面構造の要部を表わしたものである。この第１の実施例で、折り畳み型情報処理装置２００Ａは、ヒンジ機構２０６を構成して第１の筐体２０２の開閉動作と共に回動する大径部２２１の所定位置にスリットが刻まれており、大径部２２１と同軸でこれよりも小径の小径部２２２が形成されている。
【００３０】
小径部２２２は、その外周を破線で示しているが、外周の第１の位置Ｐ1に、ワイヤ２２３の一端部が固定されている。このワイヤ２２３は、第２の筐体２０５内における大径部２２１の下方に配置されたプーリ２２４に掛け渡されて、他端部がキートップ形成部材２１１に固定されている。
【００３１】
キートップ形成部材２１１は、それぞれキートップ２０３を垂直に支持する壁状の部位が比較的薄く形成されており可撓性に富んでいるが、これらを連結する底板となっている部位は比較的厚く形成されており変形しにくくなっている。このキートップ形成部材２１１の底板と第２の筐体２０５の底部との間には、バネ２２５が圧縮した状態で取り付けられている。したがって、折り畳み型情報処理装置２００Ａのケースが開いた状態では、キートップ形成部材２１１がワイヤ２２３の長さと、バネ２２５による上方向に移動しようとする力の釣り合った位置に停止した状態となっている。
【００３２】
図６は、第１の筐体が第２の筐体の上に重なるように折り畳まれたときの折り畳み型情報処理装置の断面構造の要部を表わしたものである。図５と共に説明する。
【００３３】
折り畳み型情報処理装置２００Ａはそのヒンジ機構２０６を構成する大径部２２１が矢印２３１で示すように回転することで、図５に示した状態から折り畳まれた状態になる。これにより、ワイヤ２２３の一端部は小径部２２２の外周の第１の位置Ｐ1から第２の位置Ｐ2に移動する。すると、これらの位置Ｐ1、Ｐ2の間の円弧の長さだけ小径部２２２におけるワイヤ２２３が巻き上げられ、キートップ形成部材２１１がバネ２２５の圧力に抗してプーリ２２４の方向に下降する。これにより、キートップ２０３の上面が図６に示すようにケース上面２０４から所定長だけ下の位置まで移動する。この結果として、キートップ２０３が何らかの原因で上下に振動したとき、その裏面がボタン部２１２の上部と接触しても構わない。また、キートップ２０３の裏面がボタン部２１２の上部と常に接触する位置まで下降しても構わない。本実施例の折り畳み型情報処理装置２００Ａでは、折り畳み型情報処理装置２００Ａが折り畳まれたとき、ボタン部２１２がキーの押下を検出しないようにしているからである。
【００３４】
図７は、折り畳み型情報処理装置のボタン部に関係した回路構成の要部を表わしたものである。図５および図６と共に説明する。
【００３５】
折り畳み時にディスプレイ面２０１と対向する位置に配置される図示しないキー操作部を構成するＮ個のボタン部２１２1〜２１２Nは、それぞれの検知信号２４１1〜２４１Nを、スイッチ回路２４２を経てキーコード判別部２４３に入力するようになっている。スイッチ回路２４２には、第１の筐体２０２と第２の筐体２０５の開閉を検出する開閉検出器２４４から閉検出信号２４５が入力されるようになっている。
【００３６】
スイッチ回路２４２は、ボタン部２１２1〜２１２Nのそれぞれに１つずつ対応した図示しないスイッチ素子から構成されており、これらのスイッチ素子の制御端子に閉検出信号２４５が入力されると、その間だけ入出力間をオフにする。したがって、図５に示したように折り畳み型情報処理装置２００Ａが開いた状態では、各検知信号２４１1〜２４１Nがキーコード判別部２４３に入力し、キーコードの判別が行われる。
【００３７】
これに対して、図６に示したように折り畳み型情報処理装置２００Ａが折り畳まれた状態では、スイッチ回路２４２がボタン部２１２1〜２１２Nに入力するすべての検知信号２４１1〜２４１Nを遮断する。このため、キートップ２０３の一部または全部がボタン部２１２1〜２１２Nによって検知された状態となっても、キーコード判別部２４３がこれらをキー入力操作として誤ってキーコードを出力することがない。また、第１の実施例では、折り畳み型情報処理装置２００Ａが折り畳まれたとき、ディスプレイ面２０１とキートップ２０３の間隔が拡大する。これにより、キートップ２０３がディスプレイ面２０１と接触し、これを傷つける可能性が大幅に低減する。
【００３８】
以上説明した第１の実施例によれば、折り畳み型情報処理装置２００Ａが折り畳まれた状態で、スイッチ回路２４２を用いてキー入力動作を禁止した。これにより、キートップ形成部材２１１とボタン部２１２の間隔の調整に手間取るおそれがなくなる。また、キー入力動作を禁止することで、キーが勝手に押下された状態となったときの電力消費を節減することができる。
【実施例２】
【００３９】
図８は、本発明の第２の実施例における折り畳み型情報処理装置が開いた状態での断面構造の要部を表わしたものである。この図８で、図５と同一個所には同一の符号を付しており、適宜これらの説明を省略する。
【００４０】
第２の実施例の折り畳み型情報処理装置２００Ｂでは、キートップ形成部材２１１の底板と第２の筐体２０５の底部との間に、バネ２２５が圧縮した状態で取り付けられている。また、キートップ形成部材２１１の底板には鉄板等の磁性体３０１が貼り付けられており、これと対向する第２の筐体２０５の底部には、所定の間隔を置いて電磁石３０２が固定されている。電磁石３０２が励磁されていない状態では、バネ２２５がキートップ形成部材２１１を上方に押し上げる力と、電磁石３０２を含めたキートップ形成部材２１１の重力とが釣りあった上下方向の位置にキートップ形成部材２１１が停止している。この状態で、ユーザが任意のキートップ２０３を押下すると、これに対向して配置されたボタン部２１２がキーの押下を検知することになる。
【００４１】
図９は、第２の実施例における折り畳み型情報処理装置のボタン部および電磁石に関係した回路構成の要部を表わしたものである。この図９で図７と同一部分には同一の符号を付しており、これらの説明を適宜省略する。
【００４２】
第２の実施例では、開閉検出器２４４Ｂがスイッチ回路２４２に接続しているだけでなく、電磁石励磁回路３１１に接続している。電磁石励磁回路３１１は電磁石３０２を励磁する回路である。したがって、第１の筐体２０２と第２の筐体２０５がほぼ折り畳まれた状態となると、図示しない角度検出センサあるいは近接センサの出力によって開閉検出器２４４Ｂがこの状態を検出する。開閉検出器２４４Ｂは、これと共に、閉検出信号２４５を出力する。スイッチ回路２４２は、この開閉検出器２４４Ｂの出力した閉検出信号２４５を入力すると、各検知信号２４１1〜２４１Nの通過を遮断する。また、電磁石励磁回路３１１が動作して、電磁石３０２を励磁する。これにより、電磁石３０２が磁性体３０１を吸引する。
【００４３】
図１０は、電磁石が磁性体を吸着した段階での折り畳み型情報処理装置の断面構造の要部を表わしたものである。この図１０で、図６と同一個所には同一の符号を付しており、適宜これらの説明を省略する。
【００４４】
電磁石３０２が磁性体３０１を吸引すると、これによりキートップ形成部材２１１がバネ２２５の圧力に抗して下降し、電磁石３０２と磁性体３０１が吸着する。この結果、キートップ２０３の上面が図６に示すようにケース上面２０４から所定長だけ下方の位置まで移動する。このときのキートップ２０３の裏面とボタン部２１２の上部の距離関係は、先の第１の実施例と同じである。このように第２の実施例でも、折り畳み型情報処理装置２００Ｂが折り畳まれたとき、ディスプレイ面２０１とキートップ２０３の間隔が拡大する。これにより、キートップ２０３がディスプレイ面２０１と接触し、これを傷つける可能性が大幅に低減する。
【００４５】
一方、ユーザが折り畳み型情報処理装置２００Ｂを折り畳まれた状態から開いた状態にすると、図９に示す開閉検出器２４４Ｂがこれを検出してスイッチ回路２４２が各検知信号２４１1〜２４１Nを通過させる。また、電磁石励磁回路３１１が電磁石３０２を励磁しなくなるので、ユーザによる各種キー入力が可能な状態になる。
【００４６】
以上説明した第２の実施例によれば、折り畳み型情報処理装置２００Ｂの開閉操作に、第１の実施例のようなワイヤ２２３の動きが連動しない。したがって、折り畳み型情報処理装置２００Ｂの開閉操作をスムーズに行うことができる。
【００４７】
なお第２の実施例では、電磁石３０２を励磁したとき電磁石３０２と磁性体３０１が吸着するようにしたが、これに限るものではない。たとえば、磁性体３０１に電磁石３０２が励磁したときと同一の磁化を行っておけば、解磁状態で電磁石３０２と磁性体３０１を吸着させることができる。
【００４８】
また、以上説明した実施の形態および実施例では、キートップ２０３をディスプレイ面２０１に対して進退させることにしたが、本発明はディスプレイ面２０１に接触してこれを傷つける可能性のある他の入力操作具に対しても適用可能である。たとえば、操作面からある程度突出する必要のあるアナログポインタは、この種の折り畳み型情報処理装置への実装が困難とされていた。しかしながら、本発明を適用すれば、折り畳み型情報処理装置の折り畳み時にアナログポインタを第２の筐体内部に後退させる一方で、その検知出力を折り畳み時に遮断する。これにより、折り畳み型情報処理装置の折り畳み時にアナログポインタが何らかの原因で動作した場合であっても、不具合を発生させることがない。したがって、アナログポインタを２の筐体内部に退避させる機構を単純化して、コストダウンを図ることが可能になり、また、ディスプレイ面２０１の損傷も軽減することが可能になる。
【００４９】
また、本発明の第２の実施例では、電磁石３０２を用いて磁性体３０１を吸引したが、これに限るものではない。たとえば、電磁クラッチを使用するように、発生する磁界を用いてキートップ形成部材２１１等の入力操作具を所望の方向に移動させたり、移動する力を与えてもよいことは当然である。
【産業上の利用可能性】
【００５０】
以上説明した折り畳み型情報処理装置は、携帯電話機に限らず、前記したように折り畳み可能な各種の装置に適用することができることはもちろんである。更に、キートップもこれらの複数が連動して上下できる機構を持っているものであれば、１枚のキートップ形成部材として下降されたものに限定する必要はない。
【符号の説明】
【００５１】
１０、２００、２００Ａ、２００Ｂ  折り畳み型情報処理装置
１１、２０２  第１の筐体
１２、２０５  第２の筐体
１２ａ  入力操作具移動手段
１２ｂ  遮断手段
１３、２０６  ヒンジ機構
２０  入力操作具処理方法
２１  閉状態検出ステップ
２２  後退ステップ
２３  出力遮断ステップ
２０１  ディスプレイ面
２０３  キートップ
２０４  ケース上面
２１１  キートップ形成部材
２１２  ボタン部
２１５  スイッチ回路
２１６  キースイッチ押下識別回路
２２１  大径部
２２２  小径部
２２３  ワイヤ
２２４  プーリ
２２５  バネ
２４２  スイッチ回路
２４３  キーコード判別部
２４４、２４４Ｂ  開閉検出器
３０１  磁性体
３０２  電磁石
３１１  電磁石励磁回路
【図１】
2011055049.tif 000003
【図２】
2011055049.tif 000004
【図３】
2011055049.tif 000005
【図４】
2011055049.tif 000006
【図５】
2011055049.tif 000007
【図６】
2011055049.tif 000008
【図７】
2011055049.tif 000009
【図８】
2011055049.tif 000010
【図９】
2011055049.tif 000011
【図１０】
2011055049.tif 000012
【図１１】
2011055049.tif 000013
【図１２】
2011055049.tif 000014
【図１３】
2011055049.tif 000015